(57)【要約】【課題】デジタルカメラの薄型化を確保しつつ、低温環境下でのアルミニウム電解コンデンサの静電容量を低下させることなく、ＣＰＵ等の発熱性素子で発熱した熱を効率よく放熱して外装の局所的な温度上昇を抑制する仕組みを提供する。【解決手段】デジタルカメラは、温度の低下に伴い、静電容量が低下する特性を有し、ストロボ発光部９を発光させるための電荷をチャージするアルミニウム電解コンデンサ１２と、ＣＰＵ等の発熱性素子２が実装されたメイン基板４と、を備え、アルミニウム電解コンデンサ１２と発熱性素子２とを熱結合する熱伝導部材１を配置する。【選択図】図３
2012042562.tif 000002
【特許請求の範囲】
【請求項１】
温度の低下に伴い、静電容量が低下する特性を有するコンデンサと、
発熱性素子が実装された基板と、を備え、
前記コンデンサと前記発熱性素子とを熱結合する熱伝導部材を配置したことを特徴とする撮像装置。
【請求項２】
前記熱伝導部材は、弾性を有する部材で形成され、前記コンデンサと前記発熱性素子との間に圧縮変形した状態で配置されることを特徴とする請求項１に記載の撮像装置。
【請求項３】
前記コンデンサを保持する保持部を備え、前記保持部は、レンズ鏡筒、三脚取付ネジ及び電池収納部のうちの少なくとも一つに設けられることを特徴とする請求項２に記載の撮像装置。
【請求項４】
前記保持部は、金属ダイキャストで形成されることを特徴とする請求項３に記載の撮像装置
【請求項５】
前記基板は、ユーザが把持するグリップ部側に配置されることを特徴とする請求項１乃至４のいずれか一項に記載の撮像装置。
【発明の詳細な説明】
【技術分野】
【０００１】
本発明は、ストロボ発光部を有するデジタルカメラ等の撮像装置に関する。
【背景技術】
【０００２】
デジタルカメラ等の撮像装置では、撮像素子が高画素化され、高速連写撮影や高フレーム動画撮影機能により増大した処理データを短時間で処理する必要があることから、ＣＰＵの負荷が増大してＣＰＵが実装された基板の発熱量が増大している。また、撮像装置の小型化を図りつつ撮影時等にユーザが把持しやすいようにグリップ部の面積を極力広くしているため、ＣＰＵや他のＩＣ等の電子部品を搭載した基板を、基板面積が確保しやすいグリップ部側に配置する事が多い。従って、撮像装置の外装が基板で発生した熱の影響で高温になり、撮像装置を把持したユーザに違和感を与えてしまうことになる。
【０００３】
このような事情から、従来、グリップ部側に発熱性素子を搭載した基板を配置し、基板に搭載した発熱性素子のケースに放熱板を接触させたデジタルカメラが提案されている（特許文献１）。この提案では、発熱性素子のケースに接触させた放熱板をレンズ鏡筒の下側を迂回させてグリップ部の反対側の空間に延出させ、該延出部分と正面側の外装カバーとの間に断熱シートを配置している。
【先行技術文献】
【特許文献】
【０００４】
【特許文献１】特開２００３−００８９５６号公報
【発明の概要】
【発明が解決しようとする課題】
【０００５】
しかし、上記特許文献１では、放熱板や断熱シートを使用すると、それらの部品を配置するスペースを確保する必要がある為、撮像装置を薄型化する妨げになる。
【０００６】
一方、図５に示すように、ストロボ発光のための電荷をチャージするアルミニウム電解コンデンサ１２は、陽極１２ｃ、陰極１２ｄにアルミニウム箔を用い、両極１２ｃ，１２ｄ間に電解紙１２ｂを挟んだものを巻き取り、電解液を含浸させた構造となっている。
【０００７】
ところで、アルミニウム電解コンデンサ１２は、図６に示すように、温度の低下に伴い、静電容量が低下する特性があり、例えば、０°Ｃの場合は、６０°Ｃの場合に比べて静電容量が５％程度低下する。従って、撮像装置を低温環境下で使用する際には、アルミニウム電解コンデンサ１２の静電容量の低下により、ストロボ発光効率が落ち、ストロボ発光量が減少してしまう。
【０００８】
そこで、本発明は、撮像装置の薄型化を確保しつつ、低温環境下でのコンデンサの静電容量を低下させることなく、発熱性素子で発熱した熱を効率よく放熱して外装の局所的な温度上昇を抑制する仕組みを提供することを目的とする。
【課題を解決するための手段】
【０００９】
上記目的を達成するために、本発明の撮像装置は、温度の低下に伴い、静電容量が低下する特性を有するコンデンサと、発熱性素子が実装された基板と、を備え、前記コンデンサと前記発熱性素子とを熱結合する熱伝導部材を配置したことを特徴とする。
【発明の効果】
【００１０】
本発明によれば、撮像装置の薄型化を確保しつつ、低温環境下でのコンデンサの静電容量を低下させることなく、発熱性素子で発熱した熱を効率よく放熱して外装の局所的な温度上昇を抑制することができる。
【図面の簡単な説明】
【００１１】
【図１】本発明の撮像装置の実施形態の一例であるデジタルカメラの外観斜視図であり、（ａ）は正面側から見た外観斜視図、（ｂ）は背面側から見た外観斜視図である。
【図２】デジタルカメラの分解斜視図である。
【図３】図２を背面側から見た分解斜視図である。
【図４】（ａ）はデジタルカメラの正面図、（ｂ）は（ａ）のＡ−Ａ線断面図、（ｃ）は（ａ）のＢ−Ｂ線断面図、（ｄ）は（ａ）のＣ−Ｃ線断面図である。
【図５】アルミニウム電解コンデンサの一例を示す斜視図である。
【図６】アルミニウム電解コンデンサの温度と静電容量との関係を示すグラフ図である。
【発明を実施するための形態】
【００１２】
以下、本発明の実施形態の一例を図面を参照して説明する。
【００１３】
図１は本発明の撮像装置の実施形態の一例であるデジタルカメラの外観斜視図であり、（ａ）は正面側から見た外観斜視図、（ｂ）は背面側から見た外観斜視図である。
【００１４】
図１（ａ）に示すように、本実施形態のデジタルカメラ１００は、正面側（被写体側）に、レンズ１０３を保持するレンズ鏡筒６が図の左右方向の中央部の右側に位置して設けられ、レンズ鏡筒６の右上には、ストロボ発光部９が設けられている。デジタルカメラ１００の上面部には、シャッターボタン６１、電源スイッチ７２、及びモード切替スイッチ６０が設けられている。シャッターボタン６１は、図の左右方向の中央部の左側に位置して設けられており、シャッターボタン６１側のデジタルカメラ１００の外装は、撮影時にユーザがシャッターボタン６１を押し操作する際に把持するグリップ部とされている。また、図１（ｂ）に示すように、デジタルカメラ１００の背面側には、ＬＣＤ等の画像表示部２８が設けられ、画像表示部２８の側部には、各種操作ボタンからなる操作部７０が設けられている。
【００１５】
図２はデジタルカメラ１００の分解斜視図、図３は図２を背面側から見た分解斜視図である。図４（ａ）はデジタルカメラ１００の正面図、図４（ｂ）は図４（ａ）のＡ−Ａ線断面図、図４（ｃ）は図４（ａ）のＢ−Ｂ線断面図、図４（ｄ）は図４（ａ）のＣ−Ｃ線断面図である。
【００１６】
図２及び図３に示すように、正面カバー１０４と背面カバー１０５との間には、レンズ鏡筒６及び電池収納部２５が配置されている。電池収納部２５は、上述したグリップ部側に配置され、レンズ鏡筒６及び電池収納部２５は、背面側に配置されたシャーシ８にビス等で固定される。シャーシ８と背面カバー１０５との間には、画像表示部２８が配置され、画像表示部２８、正面カバー１０４及び背面カバー１０５は、ビスや両面テープ等を介してシャーシ８に固定される。
【００１７】
また、正面カバー１０４と電池収納部２５との間には、メイン基板４が配置されている。メイン基板４の電池収納部２５と対向する面側には、発熱性素子としてのＣＰＵ２、及び画像信号が記録されるメモリカードを収納する記録部１９が実装されている。
【００１８】
レンズ鏡筒６の背面側には、レンズ１０３を通過した被写体像を撮像素子に結像させる位置に撮像部２２が配置されている。レンズ鏡筒６と電池収納部２５との間には、ストロボ発光部９の発光に必要な電荷をチャージするためのアルミニウム電解コンデンサ１２が配置されている。また、アルミニウム電解コンデンサ１２の下端側には、三脚取付ネジ２０が配置され、アルミニウム電解コンデンサ１２の上端側には、ストロボ発光回路(不図示）が実装されたストロボ基板３が配置されている。ストロボ発光回路は、アルミニウム電解コンデンサ１２にチャージされた電荷を用いてストロボ発光部９を発光させる。
【００１９】
ここで、上述したように、アルミニウム電解コンデンサ１２は、温度の低下に伴い、静電容量が低下する特性を有する。そのため、本実施形態では、ＣＰＵ２とアルミニウム電解コンデンサ１２の間に、熱伝導部材１を圧縮変形させた状態で配置している。すなわち、ＣＰＵ２とアルミニウム電解コンデンサ１２は熱伝導部材１によって熱結合されている。熱伝導部材１は、弾性を有する部材で形成され、例えばシリコン系やアクリル系の弾性を有する熱伝導シート等を用いることができる。熱伝導部材１がＣＰＵ２とアルミニウム電解コンデンサ１２に密着することで、ＣＰＵ２から発せられる熱を熱伝導部材１を介してアルミニウム電解コンデンサ１２に効率よく伝導する。
【００２０】
なお、アルミニウム電解コンデンサ１２は、熱伝導部材１の圧縮変形による反力を受けるため、該反力により移動しないように、コンデンサ端子１２ａがストロボ基板３に半田付け等により固定されている。
【００２１】
また、本実施形態では、図４（ｂ）〜図４（ｄ）に示すように、レンズ鏡筒６、電池収納部２５及び三脚取付ネジ２０に、それぞれアルミニウム電解コンデンサ１２を保持する保持部６ａ，２５ａ，２０ａを設けている。これにより、熱伝導部材１からの反力によるアルミニウム電解コンデンサ１２の変形等を確実に防止している。この場合、レンズ鏡筒６、電池収納部２５、及び三脚取付ネジ２０を亜鉛或いはアルミニウム等の金属ダイキャストで形成することにより、ＣＰＵ２から発せられる熱をアルミニウム電解コンデンサ１２を介してデジタルカメラ１００内部に均一に分散することができる。
【００２２】
以上説明したように、本実施形態では、メイン基板４に実装されたＣＰＵ２で発生した熱を熱伝導部材１を介してアルミニウム電解コンデンサ１２に伝導させている。このため、ＣＰＵ２で発生した熱を効率よく放熱して、ＣＰＵ２の温度上昇を抑制することができ、デジタルカメラ１００の外装、特にグリップ部の正面カバー１０４の局所的な温度上昇を抑制することができる。
【００２３】
また、本実施形態では、ＣＰＵ２から熱伝導部材１を介してアルミニウム電解コンデンサ１２に伝導された熱により、アルミニウム電解コンデンサ１２の温度が上昇することになる。このため、低温環境下でアルミニウム電解コンデンサ１２の静電容量が低下するのを防止することができ、デジタルカメラ１００を低温環境下で使用する際に、ストロボ発光部９の発光効率が落ちることなく、十分な発光量を確保することができる。
【００２４】
更に、本実施形態では、ＣＰＵ２とアルミニウム電解コンデンサ１２との間の既存空間に熱伝導部材１を配置しているので、デジタルカメラ１００の厚さ方向の寸法が増すことがなく、デジタルカメラ１００の薄型化を確保することができる。
【００２５】
なお、本発明の構成は、上記実施形態に例示したものに限定されるものではなく、材質、形状、寸法、形態、数、配置箇所等は、本発明の要旨を逸脱しない範囲において適宜変更可能である。
【００２６】
例えば、上記実施形態では、メイン基板４のＣＰＵ２で発生した熱を熱伝導部材１を介してアルミニウム電解コンデンサ１２に伝導させる場合を例示したが、必ずしもこのようにする必要はない。例えば、撮像部２２の撮像素子で発生した熱を熱伝導部材１を介してアルミニウム電解コンデンサ１２に伝導させるようにしてもよい。
【００２７】
また、上記実施形態では、レンズ鏡筒６、電池収納部２５及び三脚取付ネジ２０の全ての部品にアルミニウム電解コンデンサ１２を保持する保持部６ａ，２５ａ，２０ａを設けた場合を例示したが、必ずしもこのようにする必要はない。即ち、レンズ鏡筒６、電池収納部２５及び三脚取付ネジ２０の少なくとも一つの部材にアルミニウム電解コンデンサ１２を保持する保持部を設けるようにしてもよい。
【符号の説明】
【００２８】
１  熱伝導部材
２  ＣＰＵ
３  ストロボ基板
４  メイン基板
６  レンズ鏡筒
９  ストロボ発光部
１２  アルミニウム電解コンデンサ
【図１】
2012042562.tif 000003
【図２】
2012042562.tif 000004
【図３】
2012042562.tif 000005
【図４】
2012042562.tif 000006
【図５】
2012042562.tif 000007
【図６】
2012042562.tif 000008